(57)【要約】【課題】  Ｅｎｄ ｔｏ Ｅｎｄのパス回線のサービスを中断することなく、運用面全伝送装置の接続情報（設定）の変更を全伝送装置で同期して行う伝送装置及び伝送方法を提供する。【解決手段】  伝送路を介して他の伝送装置との間で情報の伝送を行う伝送装置が、他の伝送装置との間で情報の伝送を行うためのパスの設定を運用側設定部に記憶し、該パスの変更後の設定を非運用側設定部に記憶し、該パスの変更時刻を記憶し、該変更時刻に基づいて他の伝送装置と同期したタイミングで、該パスの変更指示を出力し、該変更指示に応じ、前記運用側の設定に基づくパスを非運用側の設定に切り替える。【選択図】      図１
2005184554.tif 000002
【特許請求の範囲】
【請求項１】
他の伝送装置との間で情報の伝送を行うためのパスの設定を記憶する運用側設定部と、
該パスの変更後の設定を記憶する非運用側設定部と、
該パスの変更時刻を記憶し、該変更時刻に基づいて他の伝送装置と同期したタイミングで、該パスの変更指示を出力する変更予約部と、
該変更指示に応じ、前記運用側の設定に基づくパスを非運用側の設定に切り替える切替部と、
を備える伝送装置。
【請求項２】
前記パスの変更の設定を受け付けた変更予約時には、該変更の設定を前記非運用側設定部に記憶させ、該設定に基づくパスの変更後、次のパス変更の受け付けまでの非予約時には、前記運用側設定部に記憶されたパスの設定を非運用側設定部に反映させるパス管理部を備え、
運用系伝送路と予備系伝送路とに冗長化された伝送路のうち、前記運用側設定部の設定に基づき運用系伝送路を介して設定されたパスに障害が発生した際、前記非予約時であれば、前記切換部が前記運用系伝送路のパスを前記非運用系設定部の設定に基づいて予備系伝送路を介する設定に切り換える自動救済を行い、前記障害が発生した場合に、前記変更予約時であれば、前記切換部が前記自動救済を禁止する請求項１に記載の伝送装置。
【請求項３】
前記変更予約部が、ネットワークタイムプロトコルにより他の伝送装置と同期をとり、前記予約時刻に変更指示を出力することで、該他の伝送装置と同時にパスの変更を行う請求項１に記載の伝送装置。
【請求項４】
伝送路を介して他の伝送装置との間で情報の伝送を行う伝送装置が、
他の伝送装置との間で情報の伝送を行うためのパスの設定を運用側設定部に記憶するステップと、
該パスの変更後の設定を非運用側設定部に記憶するステップと、
該パスの変更時刻を記憶し、該変更時刻に基づいて他の伝送装置と同期したタイミングで、該パスの変更指示を出力するステップと、
該変更指示に応じ、前記運用側の設定に基づくパスを非運用側の設定に切り替えるステップと、
を行う伝送方法。
【請求項５】
前記パスの変更の設定を受け付けた変更予約時には、該変更の設定を前記非運用側設定部に記憶させ、該設定に基づくパスの変更後、次のパス変更の受け付けまでの非予約時には、前記運用側設定部に記憶されたパスの設定を非運用側設定部に反映させるステップを備え、
運用系伝送路と予備系伝送路とに冗長化された伝送路のうち、前記運用系伝送路を介して前記運用側設定部の設定に基づくパスに障害が発生した際、前記非予約時であれば、前記運用側設定部の設定に基づくパスを前記非運用系設定部の設定に基づいて予備系伝送路を介して設定されるように切り換える自動救済を行い、前記障害が発生した際、前記変更予約時であれば、前記自動救済を禁止する請求項４に記載の伝送方法。
【発明の詳細な説明】
【技術分野】
【０００１】
本発明は、ＳＯＮＥＴ／ＳＤＨ等のネットワークにおいて、サービスを継続したまま、収容している回線の変更を可能とする技術に関する。
【背景技術】
【０００２】
従来、ネットワークの回線容量を拡張する等のアップグレードを行う場合、リニア構成のネットワークであれば、非運用回線の容量を拡張後、両局で回線切替えを実行後、新に非運用となった回線の容量拡張を行っていた。また、リング(ＵＰＳＲ)構成のネットワークであれば、アップグレード対象の回線(区間)からのパス信号を疎通させないため、両局がパスの方向を固定(強制切替え)した後、容量の拡張を実施していた。
【０００３】
このような従来のＳＯＮＥＴシステムでは、構成変更を行う場合、現在サービス中の回線接続状態を全て切断して行うことが一般的であった。
【０００４】
一方、インサービス状態でシステムの高速側インタフェースをより高速のインタフェースに交換するために、既存の伝送装置及び新たに追加する高速伝送装置の双方にクロスコネクト機能をもつＡＤＭ装置を用い、伝送装置の高速側インタフェース装置が搭載されている位置に該伝送装置の低速側インタフェース装置が搭載できるように、低速側インタフェース装置と互換性を持たせた信号線を配置するアップグレード方法が提案されている。（特許文献１参照）
また、ＳＯＮＥＴ伝送装置の回線接続変更システムに関し、ＨＭＩ制御部が端末からのコマンドによる要求を解析し、要求を実行できる条件が全て満たされているか否かを判定し、実行可能ならば主制御部に対して実行要求を行い、実行要求を受けた主制御部が回線接続情報管理部を検索し、現在サービス中の回線接続情報を獲得し、現在サービス中の回線の入力先、出力先情報に対応させて回線接続指示に従い、回線接続区間の接続を行い、回線の接続処理が完了した後、処理実行前に接続されていた回線の接続を切断することにより、物理媒体の変更なしで回線接続の速度単位を例えばサービス回線Ａ／回線速度Ｎｂｐｓからサービス回線Ｂ／回線速度Ｍｂｐｓにインサービス状態（サービスを継続したまま）で回線接続を変更することができるようにした回線接続変更システムが提案されている。（特許文献２参照）
【特許文献１】特開平８−３３５９２２号公報
【特許文献２】特開平９−３６８８２号公報
【発明の開示】
【発明が解決しようとする課題】
【０００５】
上述のように、新たに追加される高速インタフェース装置と既存のインタフェース装置とで互換性を持たせるようにした方法では、クロスコネクト機能を有した高速インタフェース装置を新たに追加しなければならず、装置構成が複雑になるという問題点があった。
【０００６】
また、上述の端末からの要求を実行できる条件が全て満たされている場合に回線の接続処理を行うシステムは、伝送装置の主制御部が管理する回線内で切り換えを行うものであり、複数の伝送装置を経由するＥｎｄ ｔｏ Ｅｎｄのパス回線を該複数の伝送装置間で同期をとって切り換えを行うものではなかった。
【０００７】
一方、既存の伝送装置では、障害の発生時に、クロスコネクト機能により運用側から非運用側に切り換えることでサービスを中断させずに障害を回避することが一般に行われている。この既存のクロスコネクト機能を利用して既存の回線からアップグレード後の回線
に切り換えられれば望ましいが、例えばアップグレード後の接続情報を非運用面の接続制御ユニットに設定を行うとしても、同時に運用側に反映される或は冗長化の為に運用側と同じ設定に改められてしまい、一時的にアップグレードの為の設定を行うことはできない。また、設定と同時に実際の信号の接続状態に変更を与えているため、他の伝送装置と同期を取って変更することができないといった問題が生じてしまう。
【０００８】
そこで、本発明は、Ｅｎｄ ｔｏ Ｅｎｄのパス回線のサービスを中断することなく、パスを収容する回線容量の拡張及びパスを収容する回線の移設を行うために、該当パスを収容する全伝送装置(Ａｄｄ／Ｄｒｏｐ／Ｔｈｒｏｕｇｈ)の接続情報の変更を運用面と非運用面で独立に設定させ、全伝送装置で同期して運用面の切り替えを行う技術を提供する。
【課題を解決するための手段】
【０００９】
本発明は前記目的を達成するために、以下の手段を採用した。
【００１０】
本発明の伝送装置は、
他の伝送装置との間で情報の伝送を行うためのパスの設定を記憶する運用側設定部と、
該パスの変更後の設定を記憶する非運用側設定部と、
該パスの変更時刻を記憶し、該変更時刻に基づいて他の伝送装置と同期したタイミングで、該パスの変更指示を出力する変更予約部と、
該変更指示に応じ、前記運用側の設定に基づくパスを非運用側の設定に切り替える切換部とを備える。
【００１１】
即ち、パス回線の接続情報を制御する接続制御ユニットの非運用側に対して接続変更用の接続情報を設定する手段、もしくは、接続制御ユニットの接続情報を設定する空間を２面持たせ、各々独立に設定する手段を備え、該運用側から非運用側への切り換えが可能な伝送装置とする。
【００１２】
これにより、Ｅｎｄ ｔｏ Ｅｎｄのパスのサービスを中断することなく、伝送路の拡張や他経路への迂回を行うためにパスを変更することを可能にしている。
【００１３】
上記伝送装置は、前記パスの変更の設定を受け付けた変更予約時には、該変更の設定を前記非運用側設定部に記憶させ、該設定に基づくパスの変更後、次のパス変更の受け付けまでの非予約時には、前記運用側設定部に記憶されたパスの設定を非運用側設定部に反映させるパス管理部を備え、
運用系伝送路と予備系伝送路とに冗長化された伝送路のうち、前記運用側設定部の設定に基づき運用系伝送路を介して設定されたパスに障害が発生した際、前記非予約時であれば、前記切換部が前記運用系伝送路のパスを前記非運用系設定部の設定に基づいて予備系伝送路を介する設定に切り換える自動救済を行い、前記障害が発生した場合に、前記変更予約時であれば、前記切換部が前記自動救済を禁止する構成としても良い。
【００１４】
これにより、通常（非予約時）は、運用側設定部と非運用側設定部の設定を冗長化して、障害発生時に切換部による自動救済を可能とし、変更予約時には該自動救済を禁止して非運用側設定部にパス変更の設定を独立して書込み（記録）可能とする。従って自動救済機能とパスの変更機能を同じ切換部で実現でき、装置構成の簡素化が図れる。
【００１５】
また、前記変更予約部は、ネットワークタイムプロトコルにより他の伝送装置と同期をとり、前記予約時刻に変更指示を出力することで、該他の伝送装置と同時にパスの変更を行っても良い。
【００１６】
更に本発明の伝送方法は、
伝送路を介して他の伝送装置との間で情報の伝送を行う伝送装置が、
他の伝送装置との間で情報の伝送を行うためのパスの設定を運用側設定部に記憶するステップと、
該パスの変更後の設定を非運用側設定部に記憶するステップと、
該パスの変更時刻を記憶し、該変更時刻に基づいて他の伝送装置と同期したタイミングで、該パスの変更指示を出力するステップと、
該変更指示に応じ、前記運用側の設定に基づくパスを非運用側の設定に切り替えるステップとを行う。
【００１７】
上記伝送方法は、前記パスの変更の設定を受け付けた変更予約時には、該変更の設定を前記非運用側設定部に記憶させ、該設定に基づくパスの変更後、次のパス変更の受け付けまでの変更モード解除時には、前記運用側設定部に記憶されたパスの設定を非運用側設定部に反映させるステップを備え、
運用系伝送路と予備系伝送路とに冗長化された伝送路のうち、前記運用系伝送路を介して前記運用側設定部の設定に基づくパスに障害が発生した際、前記非予約時であれば、前記運用側設定部の設定に基づくパスを前記非運用系設定部の設定に基づいて予備系伝送路を介して設定されるように切り換える自動救済を行い、前記障害が発生した際、前記変更予約時であれば、前記自動救済を禁止しても良い。
【００１８】
上記伝送方法は、ネットワークタイムプロトコルにより他の伝送装置と同期をとり、前記予約時刻に変更指示を出力することで、該他の伝送装置と同時にパスの変更を行っても良い。
【００１９】
なお、上記伝送装置及び伝送方法において、前記パスの変更は、拡張した伝送路への移設、空き回線への移設、他の経路への迂回であっても良い。
【発明の効果】
【００２０】
本発明によれば、Ｅｎｄ ｔｏ Ｅｎｄのパス回線のサービスを中断することなく、接続情報（設定）の変更を全伝送装置で同期して行う技術を提供できる。
【発明を実施するための最良の形態】
【００２１】
以下、本発明の実施形態である伝送装置及び該伝送装置によって構成された伝送システムを図１から図１３の図面に基づいて説明する。
【００２２】
〈実施形態１〉
§１．本システムの原理説明
図１，図２は、本発明に係る伝送装置から構成されたＳＯＮＥＴ／ＳＤＨにおいて伝送路を拡張（バージョンアップ）する際のパス変更の説明図である。
【００２３】
図１（ａ）は、アップグレード前のネットワーク構成を示しており、伝送装置１Ａ，１Ｂ，１Ｃが、ＯＣ４８の内側伝送路１０ｘと予備系伝送路１０ｙとを介してリング状に接続されている。
【００２４】
該ネットワークでは、伝送装置１Ｃで情報を内側伝送路１０ｘにアッドし、伝送装置１Ｂでスルーし、伝送装置１Ａでドロップするパス９が設定されている。なお、図では右回りの経路のみを示したが、冗長化のため左周りにも同じ情報を伝送している。
【００２５】
そして、図１（ｂ）に示すように外側伝送路１０ｙをＯＣ１９２にアップグレードした後、外側伝送路１０ｙにパス９を設定している。
【００２６】
また、図２（ａ）は、伝送装置１Ａ，１Ｂ，１Ｃが、ＯＣ４８の伝送路１０を介してリニア状に接続されている。
【００２７】
該ネットワークでは、伝送装置１Ｃで情報を伝送路１０にアッドし、伝送装置１Ｂでスルーし、伝送装置１Ａでドロップするパス８が設定されている。
【００２８】
そして、図２（ｂ）に示すように伝送路１０をＯＣ１９２にアップグレードした後、パス８について、前記ＯＣ４８用の設定からＯＣ１９２用の設定に変更する。このように本発明では、インサービス状態で伝送路の拡張等の変更を行う。
【００２９】
§２．伝送装置の構成
図３は、このインサービス状態でパスの変更を可能とした本発明に係る伝送装置１Ａの概略構成図である。
【００３０】
伝送装置１Ａは、運用側設定部３１や、非運用側設定部３２、変更予約部３３、切換部３４、パス管理部３５、記憶部３６を備えている。
【００３１】
該運用側設定部３１は、他の伝送装置との間で情報の伝送を行うためのパスの設定を記憶する。非運用側設定部３２は、自動救済やアップグレード等のために該パスの変更後の設定を記憶する。
【００３２】
パス管理部３５は、外部の端末からパスの設定情報が入力された場合に、この設定情報を運用側設定部３１や非運用側設定部３２の接続情報テーブルに書き込んで記憶させる。例えば、通常運用時にパスの設定が入力された場合、この設定を運用側設定部３１に記憶させ、この設定を冗長化のため同時に非運用側設定部３２に反映させる。
【００３３】
そして、パス管理部３５は、伝送路１０をアップグレードする際のパスの変更設定を受け付けた場合（変更モード時）には、該変更の設定を前記非運用側設定部に記憶させる。即ち、この変更モード時には、運用側設定部３１の設定と別にパス変更後の設定が非運用側設定部３２に記録される。
【００３４】
また、パス管理部３５は、高速回線１０等の障害の監視を行い、障害を検出した場合には、切換部３４に障害発生を通知し、自動救済を行わせる。
【００３５】
変更予約部３３は、パスの変更に関する情報を記憶するメモリを有し、該メモリ内に構築した予約テーブルに変更時刻を記憶する。そして変更予約部３３は、該変更時刻に基づいて他の伝送装置と同期したタイミングで、該パスの変更指示を出力する。変更予約部３３は、前記メモリに、変更時間の他、自動救済禁止モードがＯＮかＯＦＦかや、時刻合わせモード設定情報も記憶している。また、変更予約部３３は、前記予約時間に変更指示を出力するためのタイマー（時計ＬＳＩ）を有し、ＮＴＰ（ネットワークタイムプロトコル）によりＮＴＰサーバ（後述）の時刻を参照して、該タイマーの時刻合わせを行っている。このようにネットワークを構成する伝送装置１Ａ（１Ｂ，１Ｃ，１Ｄ）が、それぞれＮＴＰサーバの時刻に合わせることで、他の伝送装置と時刻の同期をとり、該他の伝送装置と同時にパスの変更を行う。
【００３６】
切換部３４は、運用系伝送路と予備系伝送路とに冗長化された伝送路のうち、前記運用側設定部の設定に基づき運用系伝送路を介して設定されたパスに障害が発生した場合、前記変更モード解除時であれば、前記切換部が前記運用系伝送路のパスを前記非運用系設定部の設定に基づいて予備系伝送路を介する設定に切り換える自動救済を行う。また、前記障害が発生した場合に、前記変更モード時であれば、前記切換部が前記自動救済を禁止す
る。また、切換部３４は、該変更指示に応じ、前記運用側の設定に基づくパスを非運用側の設定に切り替える。
【００３７】
記憶部３６は、運用側設定部３１の設定や、非運用側設定部３２の設定、予約テーブルの情報、運用データ等を不揮発性のメモリに記憶し、バックアップしている。
【００３８】
§３．本システムの概略構成
図４は、伝送装置１Ａ〜１Ｄが伝送路１０を介して接続し、リング状のネットワークの構成した本システムの概略図である。該伝送装置１Ａと、伝送装置１Ｂ，１Ｃ，１Ｄとは同一の構成である。端末４１は、伝送装置１Ａと接続され、パスの設定等を入力するメンテナンス用の端末である。図には省略したが、他の伝送装置１Ｂ〜１Ｄにもそれぞれメンテナンス用の端末が接続されている。該メンテナンス用の端末は、伝送装置毎に別々に設けられていても良いし、ネットワークを介して複数の伝送装置１Ａ〜１Ｄに接続されていても良い。
【００３９】
伝送路１０は、内側高速回線１０ｘと外側高速回線１０ｙとからなっている。また、図４に示す内側高速回線１０ｘ、外側高速回線１０ｙは、それぞれ、２．４ＧＢの回線速度となっている。
【００４０】
§４．本システムの機能説明
（４−１）コマンド処理及び障害処理
次に図５を用い、パス設定要求等のコマンド処理と障害発生時の処理を説明する。
【００４１】
先ずユーザが、端末４１から伝送装置１Ａにアクセスすると、伝送装置１Ａは認証などのユーザ管理を行う（ステップ１、以下Ｓ１のように略記する）。該伝送装置１Ａに認証されログインの完了したユーザがコマンドを入力すると、伝送装置１Ａは、このコマンドを解析し（Ｓ２）、解析結果に基づいて処理を実施し（Ｓ３）、この処理がハードウェアに関するものであればハードウェア制御を行う（Ｓ４）。例えば該コマンドの処理がパスの設定要求であれば、伝送装置１Ａは、パス管理部３５により入力された設定を運用側設定部３１に書き込む（記憶させる）と共に、この設定を非運用側設定部３２にも反映させる。また、これらの設定は、記憶部３６にバックアップする。
【００４２】
これにより伝送装置１Ａは、通常の運用時、運用側設定部３１の設定に従って伝送を行っている。例えば、図４に示すようにドロップ局としての設定であれば、高速回線１０からの情報を低速側のネットワークにドロップする。また、スルー局やドロップ局としての設定も同様に行う。
【００４３】
そして、伝送装置１Ａは、パス管理部３５により障害の監視を行い（Ｓ５）、高速回線１０等の障害を検出した場合には、障害処理を行う（Ｓ６）。即ち、パス管理部３５は、切換部３４に、障害の発生を通知し、切換部３４が、非運用側設定部３２の設定に切り換えて自動救済を行う。
【００４４】
伝送装置１Ｂ，１Ｃ，１Ｄについても上記伝送装置１Ａと同様にコマンド処理及び障害処理を行う。
【００４５】
（４−２）時刻合わせ処理
図６、図７は、他の伝送装置と同期するための時刻合わせ処理の説明図である。
【００４６】
ユーザの操作により端末４１から時刻合わせモードを設定するコマンドが入力されると、伝送装置１Ａは、前述と同様にユーザ認証、コマンド解析およびコマンド処理を行い（
Ｓ１〜Ｓ３）、このコマンドに従って時刻合わせモード設定情報を変更予約部３３のメモリに記憶する（Ｓ１１）。この時刻合わせモード設定情報は、例えばサーバモードかクライアントモードかを示す情報である。クライアントモードを示す情報が記憶された場合、即ちクライアントモードが設定された場合には、更にＮＴＰサーバのＩＰアドレスと設定間隔とが前記時刻合わせモード設定情報として記憶される。
【００４７】
また、クライアントモードが設定された場合、変更予約部３３にタイマー処理（Ｓ１２）を起動させ、前記メモリを参照して前記設定間隔で前記ＩＰアドレスのＮＴＰサーバ宛てに時刻情報要求を通知する（Ｓ１３）。そしてＮＴＰサーバから時刻情報を取得すると、伝送装置１Ａは、該時刻情報に基づいてタイマーの時刻合わせを行う。
【００４８】
その他の伝送装置１Ｂ，１Ｃ，１Ｄについても上記伝送装置１Ａと同様に時刻合わせ処理を行う。
【００４９】
このように本システムを構成する複数の伝送装置が、それぞれＮＴＰサーバからの時刻情報に基づいて時刻合わせを行うことで、他の伝送装置と時刻の同期を行っている。
【００５０】
また、本システムを構成する複数の伝送装置のうち、何れかの伝送装置、例えば伝送装置１Ａが前記コマンド処理（Ｓ１１）によってサーバモードに設定された場合、該伝送装置１Ａは、他の伝送装置１Ｂ，１Ｃ，１Ｄに時刻情報を供給するＮＴＰサーバとして機能する。即ち、図７に示すように伝送装置１Ｂ，１Ｃ，１Ｄがそれぞれ所定の周期で伝送装置１Ａに時刻情報取得要求を送り、これを受信した伝送装置１Ａが、タイマー（時計ＬＳＩ）から時刻情報を取得して、この時刻情報を各伝送装置１Ｂ，１Ｃ，１Ｄに返信する（Ｓ１４）。
【００５１】
（４−３）設定変更の開始処理（自動救済禁止処理）
図８は、回線拡張後のネットワーク構成を示す図、図９は、設定変更を開始する処理（変更モード時とする処理）の説明図である。
【００５２】
回線の拡張に際し、先ず、図８に示すように拡張用の回線を敷設する。本例では、外側高速回線１０ｙを２．４Ｇから１０Ｇに拡張している。
【００５３】
そして、ユーザの操作により端末４１から伝送装置１Ａに対して変更モード時とするコマンドが入力されると、伝送装置１Ａは、前述と同様にユーザ認証、コマンド解析およびコマンド処理を行い（Ｓ１〜Ｓ３）、このコマンドに従って変更予約部３３のメモリに自動救済禁止モードを示すフラグ（即ち変更モード時を示すフラグ）を記録し、変更モード時とする（Ｓ２１）。
【００５４】
また、伝送装置１Ａは、運用側設定部３１の設定を非運用側設定部３２にコピーする（Ｓ２２）。
【００５５】
同様に伝送装置１Ｂ，１Ｃ，１Ｄに対しても変更モード時とするコマンドを入力し、自動救済禁止モード（即ち変更モード時）とする。
【００５６】
（４−４）変更設定処理
図１０は、変更後の設定を予約する処理の説明図、図１１は、非運用側設定部の接続情報テーブルの説明図である。該図１１には、図４及び図８に示したパスの情報のみを抜粋し、この変更前の設定と変更後の設定を対比して示している。
【００５７】
非運用側設定部３２は、通常運用時、冗長化のために運用側設定部３１と同じ設定、即
ち図１０に示す変更前の設定を記憶している。
【００５８】
そして上記端末４１から伝送装置１Ａに対して変更後の設定を決めるコマンドが入力されると、伝送装置１Ａは、パス管理部３５が変更予約部３３のメモリを参照し、自動救済禁止モードフラグのＯＮ／ＯＦＦを確認する（Ｓ３１）。
【００５９】
この自動救済禁止モードフラグがＯＮであれば、伝送装置１Ａのパス管理部３５は、パス設定の冗長化を禁止し、非運用側設定部３２に変更後の設定を記憶させる（Ｓ３２）。なお、自動救済禁止モードがＯＦＦならば、変更後の設定の受付を行わない。
【００６０】
同様に伝送装置１Ｂ，１Ｃ，１Ｄに対しても変更後の設定を決めるコマンドを入力し、非運用側設定部３２に変更後の設定を記憶させる。
【００６１】
（４−５）予約時刻設定処理
図１２は、変更の予約時刻を設定する処理の説明図である。
【００６２】
上記端末４１から伝送装置１Ａに対して変更の予約時刻を示すコマンドが入力されると、変更予約部３３は、自動救済禁止モードフラグのＯＮ／ＯＦＦを確認する（Ｓ４１）。
【００６３】
この自動救済禁止モードフラグがＯＮであれば、伝送装置１Ａの変更予約部３３は、該変更の予約時刻を予約テーブルに記憶する（Ｓ４２）。なお、自動救済禁止モードがＯＦＦならば、変更の予約時刻の受付を行わない。
【００６４】
同様に伝送装置１Ｂ，１Ｃ，１Ｄに対しても変更の予約時刻を示すコマンドを入力し、非運用側設定部３２に変更の予約時刻を記憶させる。
【００６５】
（４−６）設定の切換処理
図１３は、予約時刻に行われる設定の切換処理の説明図である。
【００６６】
上述したように、変更設定処理後、運用側設定部３１の接続情報テーブルには、図１１に示す変更前設定が記憶され、非運用側設定部３２の接続情報テーブルには、図１１に示す変更後設定が記憶させている。
【００６７】
従ってドロップ局である伝送装置１Ａの運用側設定部３１の接続情報テーブルには、内側高速回線１０ｘのウエスト端＃１が入力１、外側高速回線１０ｙのイースト端＃２が入力２、低速側回線＃２１が出力に設定されている。即ち、通常運用時には、ウエスト端＃１から入力されたフレームを低速側回線＃２１にドロップし、障害発生時には、イースト端＃２から入力されたフレームを低速側回線＃２１にドロップしている。
【００６８】
同様にスルー局である伝送装置１Ｂは、運用側設定部３１の接続情報テーブルに従い、内側高速回線１０ｘのウエスト端＃１から入力されたフレームをイースト端＃２にスルーしている。
【００６９】
アッド局である伝送装置１Ｃは、運用側設定部３１の接続情報テーブルに従い、低速側回線＃２２から入力されたフレームを内側高速回線１０ｘのイースト端＃２とウエスト端＃１に出力している。
【００７０】
スルー局である転送装置１Ｄは、運用側設定部３１の接続情報テーブルに従い、内側高速回線１０ｘのイースト端＃２から入力されたフレームをウエスト端＃１にスルーしている。
【００７１】
そして、予約時刻になると、各伝送装置１Ａ，１Ｂ，１Ｃ，１Ｄは、変更予約部３３がタイマーの現在時刻とメモリ内の予約時刻に基づいて予約時刻に達したことを検出し、割り込み処理を生じさせ、切換部３４に変更指示を出力する（Ｓ５１）。
【００７２】
この変更指示を受信した切換部３４は、設定の切換処理（本例ではアップグレード処理）を実行する（Ｓ５２）。即ち切換部３４は、運用側設定部３１の設定から非運用側設定部３２の設定に切り換えて伝送を行う。
【００７３】
ドロップ局である伝送装置１Ａの非運用側設定部３２の接続情報テーブルには、外側高速回線１０ｙのウエスト端＃１１が入力１、外側高速回線１０ｙのイースト端＃１２が入力２、低速側回線＃２１が出力に設定されている。従って伝送装置１Ａは、通常運用時にウエスト端＃１１から入力されたフレームを低速側回線＃２１にドロップし、障害発生時には、イースト端＃１２から入力されたフレームを低速側回線＃２１にドロップする。
【００７４】
同様にスルー局である伝送装置１Ｂは、非運用側設定部３２の接続情報テーブルに従い、内側高速回線１０ｘのウエスト端＃１から入力されたフレームをイースト端＃２にスルーする。
【００７５】
アッド局である伝送装置１Ｃは、非運用側設定部３２の接続情報テーブルに従い、低速側回線＃２２から入力されたフレームを外側高速回線１０ｙのイースト端＃１２とウエスト端＃１１に出力する。
【００７６】
スルー局である転送装置１Ｄは、非運用側設定部３２の接続情報テーブルに従い、外側高速回線１０ｙのイースト端＃２から入力されたフレームをウエスト端＃１にスルーする。
【００７７】
そして、この設定変更から所定時間経過後、変更予約部３３が変更モード解除指示を出力する、或は、ユーザが端末４１から変更モードの解除を指示するコマンドを各伝送装置１Ａ，１Ｂ，１Ｃ，１Ｄに入力する。この変更モード解除指示を受信した場合、各伝送装置１Ａ，１Ｂ，１Ｃ，１Ｄは、パス管理部３５が、変更予約部３３の予約テーブルに記憶した予約時刻をクリアし（Ｓ５３）、非運用側設定部３２の設定を運用側設定部３１に複写し（Ｓ５４）、予約テーブルの自動救済禁止モードフラグをＯＦＦにし（Ｓ５５）、変更モードを解除する。
【００７８】
このように、本実施形態では、内側高速回線１０ｘを介するパスを拡張した外側高速回線１０ｙを介する設定に変更している。このとき、パスを構成する全伝送装置で同期して変更することにより、Ｅｎｄ ｔｏ Ｅｎｄのパス回線のサービスを中断することなく、パスの設定（接続情報）の変更を行うことができる。
【００７９】
〈その他の実施形態〉
本発明は、上述の図示例にのみ限定されるものではなく、本発明の要旨を逸脱しない範囲内において種々変更を加え得ることは勿論である。
【００８０】
例えば、以下に付記した構成であっても上述の実施形態と同様の効果が得られる。また、これらの構成要素は可能な限り組み合わせることができる。
【００８１】
（付記１）
他の伝送装置との間で情報の伝送を行うためのパスの設定を記憶する運用側設定部と、
該パスの変更後の設定を記憶する非運用側設定部と、
該パスの変更時刻を記憶し、該変更時刻に基づいて他の伝送装置と同期したタイミングで、該パスの変更指示を出力する変更予約部と、
該変更指示に応じ、前記運用側の設定に基づくパスを非運用側の設定に切り替える切換部と、
を備える伝送装置。（１）
（付記２）
前記パスの変更の設定を受け付けた変更予約時には、該変更の設定を前記非運用側設定部に記憶させ、該設定に基づくパスの変更後、次のパス変更の受け付けまでの非予約時には、前記運用側設定部に記憶されたパスの設定を非運用側設定部に反映させるパス管理部を備え、
運用系伝送路と予備系伝送路とに冗長化された伝送路のうち、前記運用側設定部の設定に基づき運用系伝送路を介して設定されたパスに障害が発生した際、前記非予約時であれば、前記切換部が前記運用系伝送路のパスを前記非運用系設定部の設定に基づいて予備系伝送路を介する設定に切り換える自動救済を行い、前記障害が発生した場合に、前記変更予約時であれば、前記切換部が前記自動救済を禁止する付記１に記載の伝送装置。（２）
（付記３）
前記変更予約部が、ネットワークタイムプロトコルにより他の伝送装置と同期をとり、前記予約時刻に変更指示を出力することで、該他の伝送装置と同時にパスの変更を行う付記１に記載の伝送装置。（３）
（付記４）
前記パスの変更が、拡張した伝送路への移設、空き回線への移設、他の経路への迂回である付記１に記載の伝送装置。
【００８２】
（付記５）
伝送路を介して他の伝送装置との間で情報の伝送を行う伝送装置が、
他の伝送装置との間で情報の伝送を行うためのパスの設定を運用側設定部に記憶するステップと、
該パスの変更後の設定を非運用側設定部に記憶するステップと、
該パスの変更時刻を記憶し、該変更時刻に基づいて他の伝送装置と同期したタイミングで、該パスの変更指示を出力するステップと、
該変更指示に応じ、前記運用側の設定に基づくパスを非運用側の設定に切り替えるステップと、
を行う伝送方法。（４）
（付記６）
前記パスの変更の設定を受け付けた変更予約時には、該変更の設定を前記非運用側設定部に記憶させ、該設定に基づくパスの変更後、次のパス変更の受け付けまでの非予約時には、前記運用側設定部に記憶されたパスの設定を非運用側設定部に反映させるステップを備え、
運用系伝送路と予備系伝送路とに冗長化された伝送路のうち、前記運用系伝送路を介して前記運用側設定部の設定に基づくパスに障害が発生した際、前記非予約時であれば、前記運用側設定部の設定に基づくパスを前記非運用系設定部の設定に基づいて予備系伝送路を介して設定されるように切り換える自動救済を行い、前記障害が発生した際、前記変更予約時であれば、前記自動救済を禁止する付記５に記載の伝送方法。（５）
（付記７）
ネットワークタイムプロトコルにより他の伝送装置と同期をとり、前記予約時刻に変更指示を出力することで、該他の伝送装置と同時にパスの変更を行う付記５に記載の伝送方法。
【００８３】
（付記８）
前記パスの変更が、拡張した伝送路への移設、空き回線への移設、他の経路への迂回で
ある付記５に記載の伝送方法。
【図面の簡単な説明】
【００８４】
【図１】本発明に係る伝送装置から構成されたＳＯＮＥＴ／ＳＤＨにおいて伝送路を拡張（バージョンアップ）する際のパス変更の説明図
【図２】本発明に係る伝送装置から構成されたＳＯＮＥＴ／ＳＤＨにおいて伝送路を拡張（バージョンアップ）する際のパス変更の説明図
【図３】本発明に係る伝送装置の概略構成図
【図４】各伝送装置が伝送路を介して接続し、リング状のネットワークの構成した本システムの概略図
【図５】パス設定要求等のコマンド処理と障害発生時の処理の説明図
【図６】他の伝送装置と同期するための時刻合わせ処理の説明図
【図７】他の伝送装置と同期するための時刻合わせ処理の説明図
【図８】回線拡張後のネットワーク構成を示す図
【図９】設定変更を開始する処理（変更モード時とする処理）の説明図
【図１０】変更後の設定を予約する処理の説明図
【図１１】非運用側設定部の接続情報テーブルの説明図
【図１２】変更の予約時刻を設定する処理の説明図
【図１３】予約時刻に行われる設定の切換処理の説明図
【符号の説明】
【００８５】
１Ａ，１Ｂ，１Ｃ，１Ｄ  伝送装置
８，９      パス
１０  伝送路（高速回線）
１０ｘ      内側伝送路（内側高速回線）
１０ｙ      外側伝送路（外側高速回線）
３１  運用側設定部
３２  非運用側設定部
３３  変更予約部
３４  切換部
３５  パス管理部
３６  記憶部
４１  上記端末
【図１】
2005184554.tif 000003
【図２】
2005184554.tif 000004
【図３】
2005184554.tif 000005
【図４】
2005184554.tif 000006
【図５】
2005184554.tif 000007
【図６】
2005184554.tif 000008
【図７】
2005184554.tif 000009
【図８】
2005184554.tif 000010
【図９】
2005184554.tif 000011
【図１０】
2005184554.tif 000012
【図１１】
2005184554.tif 000013
【図１２】
2005184554.tif 000014
【図１３】
2005184554.tif 000015